(57)【要約】      （修正有）【課題】一枚板の鋼板にプレス加工を施すことにより、折板のはぜ締めの外れがなくなり、製造が容易である吊り子を提供する。【解決手段】屋根の横架材11の上に配設されるタイトフレーム13が波頂部に左右高低差を設け、その低い段落部15にはめ込み、ボルト29にて締め、上端のフック7で左右折板17をはぜ締めにより連結するために取り付けられる吊り子Pにおいて、矩形または矩形に近い形状の一体鋼板に、Ｚ折りで中間を起立片3として連結用フック7付きの上段片2と取付側の下段片1とを形成するとともに、下段片の幅中央に該取付部としての座脚部5を形成し、その座脚部は、下段片の幅中央部に段差前方へ開口する不完全箱形の箱折り加工を施す。【選択図】図１
2010265682.tif 000002
【特許請求の範囲】
【請求項１】
屋根の横架材の上に配設される波段形のタイトフレームが波頂部に左右高低差を設けられ、その波頂部の低い段落部にはめ込みボルト締めして、上端のフックで左右折板をはぜ締めにより連結するために取り付けられる吊り子において、矩形または矩形に近い形状の一体鋼板に、Ｚ折りで中間を起立片として連結用フック付きの上段片と前記ボルト締めによる取付側の下段片とを形成するとともに、下段片に幅中央部を底壁として落ち込ませる箱折り加工を施し、箱形において下段片から落ち込む左右両側壁と、起立片が下へ延伸する後壁とが形成され、座脚部の底壁と、座脚部の両側の下段片としての両翼片との双方に対して起立片がＬ字形の湾曲に連続したことを特徴とする吊り子。
【請求項２】
箱形が段差前方へ開口する不完全形であって、底壁の前端にタイトフレームの段落部の端縁に掛かるリブ兼用の係合爪が屈折加工により設けられていることを特徴とする請求項１記載の吊り子。
【請求項３】
座脚部の底壁に対する起立片のＬ字形の角度が直角に対して１〜３度の範囲で前傾角度に設定されていることを特徴とする請求項１又は２記載の吊り子。
【請求項４】
上段片の幅中央部において、その先端部が下回りのＶ字形に反転して形成されているフックに、一部欠除する切欠部が設けられていることを特徴とする請求項１，２又は３記載の吊り子。
【発明の詳細な説明】
【技術分野】
【０００１】
この発明は、折板屋根を葺く場合においてタイトフレームの頂部に取り付ける鋼板製の吊り子に関する。詳しくは、タイトフレームの頂部に左右半々に高低差を設け、その段落部に嵌め込むようにして取り付けられる形式の吊り子に関する。
【背景技術】
【０００２】
折板屋根の葺き方については、屋根の横架材の上に波段形のタイトフレームを配設し、その上に配置して隣接する左右の折板が止められる。タイトフレームに対する折板の止め手段としては、タイトフレームの頂部にボルトを突設し、ナットで折板を締めつけることもあるが、これでは雨仕舞いが良くない等の理由から、Ｚ折りの上段片にフックが形成される吊り子が用いられ、それがタイトフレームの頂部にねじ止めされ、そのフックに左右の折板の端が上下重ね合わせて加締められる。この加締めをはぜ締めと称する。この場合でも、タイトフレームの頂部が水平であると、吊り子の取付けに固定の確実性が得られないことから、タイトフレームの頂部に左右半々に高低となる段差を設け、段差のＬ字形に沿った段落部に付けて安定して位置決めした状態でねじ止めされる。
【０００３】
図７は、このように段差を設けたタイトフレームに使用する従来の吊り子Ｐａの一例を示したもので、タイトフレームの段落部の底面に載る底部座片５５片と起立片５７とが直角に交わるＬ字形であるが、起立片５７の上端の上段片１８に形成されるフック５９の長さで左右折板との結合寸法を多く取るために、起立片５７が上端に幅広くなる言わば扇形に形成されていた。また、Ｌ字形の強度を確保するために、底部座片と起立片との間に挟まれる補強の座金部材６３が鋲６５で止められていた。
【発明の概要】
【発明が解決しようとする課題】
【０００４】
上記のような従来の吊り子によれば、底部座片５５と起立片５７とからなる本体金物５１と、補強部材６３とが別々の部材をプレス加工して一体化されたもので、その両方の加工に加えて鋲止め６５が必要であるから、製造の作業が複雑となるばかりでなく、部材を多用する結果、コスト高となることは避けられなかった。また、底部座片５５と起立片５７との間が狭く、その間を補強する補強部材６３について、リブ６７，６７を形成してあるが、底部座片５５にのみ鋲６５により固定されていたので、起立片を確実に支持する強度に欠けブレやすいため、折板のはぜ締めが安定して維持しがたく、折板が外れないという信頼性に欠けていた。
【０００５】
この発明は、上記のような実情から、一枚板の鋼板にプレス加工を施すことにより、全体的に必要な高い強度が得られるために、折板のはぜ締めの外れがなくなり、また、製造が容易でありコスト安に提供できることになる吊り子を提供することを課題とした。
【課題を解決するための手段】
【０００６】
上記の課題を解決するために、この発明は、屋根の横架材の上に配設される波段形のタイトフレームが波頂部に左右高低差を設けられ、その波頂部の低い段落部にはめ込みボルト締めして、上端のフックで左右折板をはぜ締めにより連結するために取り付けられる吊り子において、矩形または矩形に近い形状の一体鋼板に、Ｚ折りで中間を起立片として連結用フック付きの上段片と前記ボルト締めによる取付側の下段片とを形成するとともに、下段片に幅中央部を底壁として落ち込ませる箱折り加工を施し、箱形において下段片から落ち込む左右両側壁と、起立片が下へ延伸する後壁とが形成され、座脚部の底壁と、座脚部の両側の下段片としての両翼片との双方に対して起立片がＬ字形の湾曲に連続したことを特徴とする吊り子を提供するものである。
【０００７】
吊り子を上記のように構成したから、これを使用するときには、屋根のタイトフレームの頂部に有する段落部に嵌め込むようにしてその底部に予め起立してあるボルトに座脚部の底壁を通してからナットでそれを締めつける。この締めつける箇所がリブ構造の箱折りの底壁であり、箱形が直接起立片に連続しているばかりか、両翼を介しても連続している状態において、起立片を支持する始点が底壁よりも上の座脚部の上端にも位置しているため、起立片のブレが強力に防止される。
【発明の効果】
【０００８】
以上説明したように、この発明の吊り子によれば、一枚板の鋼板にプレス加工を施すことにより、タイトフレームの頂部における段落部の底壁にねじ止めされる座脚部が堅牢なリブ構造であって幅広い範囲にわたってその強度がフックに及び、しかも、起立片を支持する支点が高い位置にもあることから、強度的に折板を幅広く且つ強固に結合でき、折板のはぜ締めの外れが確実に防止され、また、プレス加工により容易に製造できコスト安に提供できることになるという優れた効果がある。
【０００９】
加えて、請求項２によれば係合爪によりタイトフレームに対して取付けの位置決めが容易となる。また、請求項３によれば衝撃の逃げが得られるため、請求項４によれば折板のはぜ締めが全長にわたって確実に施しやすいために、それぞれはぜ締めの外れが一層防止される。
【図面の簡単な説明】
【００１０】
【図１】この発明の吊り子を折板屋根を葺く要領において示す斜視図である。
【図２】同吊り子の平面図である。
【図３】同吊り子の正面図である。
【図４】同吊り子の側面から見た断面図である。
【図５】同吊り子の使用状態を示す折板屋根の断面図である。
【図６】この発明の吊り子について主に起立片を支持する強度を説明する模式図である。
【図７】従来例を示す吊り子の斜視図である。
【図８】従来例の吊り子との比較における強度試験を示す模式図である。
【発明を実施するための形態】
【００１１】
以下、実施例の図面に基づいてこの発明の実施の形態について詳細に説明する。
【００１２】
吊り子Ｐは、一枚の鋼板にプレス加工を施すことにより成形された一体金物であって、タイトフレーム１３にボルト締めするリブ構造の座脚部５と、それに支持される起立片３と、起立片３の上端のフック７付き上段片２と、起立片３の補強となる両翼片１ａ，１ａとからなっている。
【００１３】
タイトフレーム１３に対する取付けの中心となる座脚部５は、箱折り加工によりリブ構造が付与されるものである。「箱折り加工」という基本的な考えでは左右側壁２１，２１と後壁２３と、図示しない前壁を有する完全箱形である。したがって、前壁を有する場合も当然にこの発明に含まれる。次に記す実施例では、前端が開口する不完全箱形の例を示したが、これでも係合爪２５の存在により完全箱形に劣らない強度を保有する点に特徴を有する。しかも、係合爪２５でタイトフレーム１３との位置決めおよび結合が良くなる。
【００１４】
また、タイトフレーム１３に対する固着箇所は箱形の底壁１９であるが、箱形のリブ構造とその両側の翼片１ａ，１ａの存在から、起立片３を支持する箇所については、全体的に見ると、図６に示すように、底壁１９の箇所の下端支持点Ｓａと、翼片１ａの箇所の上端支持点Ｓｂとの二点支持となり、特に左右側壁２１，２１の箇所においては両支持点Ｓａ，Ｓｂ間の範囲全体Ｌ（座脚部５の高さ全体）での支持となるので、起立片３の背丈が短くなることとも相まってそれが前後にブレないよう強力に支持されることになる。したがって、座脚部５が巾狭くあってもフック７に支持強度が強力に及び、また、起立片３が前傾角度αであっても折板１７の荷重に耐える。
【実施例】
【００１５】
吊り子Ｐは、ほゞ矩形の鋼板にＺ折り加工を施すことにより、下段片１と上段片２との間に起立片３を一体に形成するとともに、下段片１の幅中央部に箱折り加工を施すことにより前方が開放される不完全箱形に幅狭く（タイトフレーム１３とほゞ同じ幅に）落ち込む座脚部５が形成され、上段片２には下へ回って反転するフック７が設けられる。
【００１６】
屋根にはその骨組みとしての横架材１１の上にタイトフレーム１３が設置され、タイトフレーム１３の頂部には左右半々に高低差を有する段差が形成されているので、その段落部１５に吊り子Ｐが嵌め込まれて固着されることにより、左右の折板１７，１７がフック７に掛かりはぜ締め加工により結合される（図５）。
【００１７】
吊り子Ｐの座脚部５は、タイトフレーム１３の段落部１５に嵌め込まれるように、タイトフレーム１３とほゞ同じ幅であって、Ｚ折りの下段片１の幅中央部において、底壁１９として下段片１からその部分を落ち込ませることにより左右両側壁２１，２１が形成され、起立片３が延長して下がり後壁２３が形成されている。したがって、前端が開放されて不完全箱形ではあるが堅牢なリブ構造である。しかも、開口には底壁１９が延長する突片２０を設けるとともに、その先端にタイトフレーム１３の段落部１５の側端に屈折して掛かるリブ兼用の係合爪２５が突設されているので、不完全箱形であっても完全箱形に近い堅牢な強度が確保される。ただし、突片２０を設けないで底壁１９の開口縁に直接係合爪２５を設けても良い。
【００１８】
箱形で強度が図られた底壁１９の中央部には前後にやゝ長い止め孔２７が設けられる。一方、段落部１５の底面には取付ボルト２９が下から貫通して立設されているので、止め孔２７がその取付ボルト２９に通され、座金３１を介してナット３３で底壁１９が固着される。この固着の強度は、後壁２３や左右側壁２１，２１により直接起立片３に及ぶことはもちろん、左右に分かれた両翼片１ａ，１ａを介して間接的に起立片３に及ぶ。しかも、両翼片１ａ，１ａと起立片３とがＬ字形の交差による一体形のリブ構造となっているめ、タイトフレーム１３に対するねじ止めにより起立片３が不動に支持される。その主たる支点は前記したように下端の他に両翼片１ａ，１ａと起立片３とが交差する高い位置にあるため起立片３のブレない強度が得られる。
【００１９】
座脚部５と左右翼片１ａ，１ａに対する起立片３の角度はＬ字形であるが、直角に対して殊に１．０〜３．０度程度にやゝ前傾した角度αであると、スプリング効果により衝撃が吸収されやすくなり、その結果、フック７から左右の折板１７，１７のはぜ締めが抜けがたくなる。そこで、例えば１．５度程度の前傾角度αとするのが好ましい。
【００２０】
フック７は、起立片３から水平方向に屈折するとともに、先端をＶ字形に内向して反転屈折し、その先端に逆止片２３を設けた周知形状であるが、逆止片の幅を９ｍｍ程度とすると折板１７，１７のはぜ締めが抜けがたいことが分かった。また、フック７の幅中央部において切欠２６を設けると、フック７とともに両折板１７，１７の掛止部を曲げやすくなるので、その点ではぜ締めが完全となるために外れ防止効果が高まる。
【００２１】
図８は、本発明の吊り子Ｐ（高強度型）と従来吊り子Ｑ（通常）との相互において両折板１７，１７の結合強度について比較試験した状態を示したもので、台３０の上に左右一対の受け部材３２，３２を載置し、その上にタイトフレーム１３ａを逆さにした状態に置いて、それに吊り子Ｐ（Ｑ）を取り付けてそれに左右折板１７ａ，１７ａをはぜ締めし、受け部材３２，３２に左右折板１７ａ，１７ａを固着し、タイトフレーム１３ａを昇降部材３４の吸着で持ち上げ、はぜ締め箇所が外れたときを吊り子抜けの「終了状況」とした。その結果、本実施例の吊り子Ｐは従来の吊り子Ｑに比べて１．５倍以上の強度があることが分かった。
【符号の説明】
【００２２】
Ｐ  吊り子
１  下段片
１ａ  翼片
２  上段片
３  起立片
５  座脚部
７  フック
１１  横架材
１３  タイトフレーム
１５  段落部
１７  折板
１９  底壁
２１  側壁
２３  後壁
２５  係合爪
２６  切欠
２９  ボルト
α  前傾角度
【図１】
2010265682.tif 000003
【図２】
2010265682.tif 000004
【図３】
2010265682.tif 000005
【図４】
2010265682.tif 000006
【図５】
2010265682.tif 000007
【図６】
2010265682.tif 000008
【図７】
2010265682.tif 000009
【図８】
2010265682.tif 000010